(57)【特許請求の範囲】
【請求項１】
上側位置に空気流出口を有する育成室と、空気吹出板と、前記育成室の下方に前記空気吹出板を介在させて形成された空気吹出室であって、側部に空気流入口を有する空気吹出室と、前記空気流出口と前記空気流入口との間を接続する空気通路と、該空気通路に配置された送風機と、前記空気吹出室から前記空気吹出板を介して前記育成室へ調整された空気が吹き出されるように空気を調整する空気調整手段と、を備えた植物育成装置において、
前記空気吹出板は、多数の空気吹出孔を有する長方形状の平板の両長辺の側の部分を下方に折り曲げて２つの垂下片を形成し断面コ字状とした複数の個別空気吹出板が並設されて構成され、
前記複数の個別空気吹出板が、前記垂下片が前記空気流入口から前記空気吹出室内へ流入される空気の方向に対して略々直交するように、配置されたことを特徴とする植物育成装置。
【請求項２】
前記複数の個別空気吹出板は、前記各個別空気吹出板の短辺に沿った方向に複数行並設されるとともに前記各個別空気吹出板の長辺に沿った方向に複数列並設され、
前記各個別空気吹出板の前記２つの垂下片における前記各個別空気吹出板の短辺の側の部分が、前記各個別空気吹出板の短辺に沿った方向に延在する根太上に載置され、
前記根太のうち、前記各個別空気吹出板の長辺に沿った方向に隣接する個別空気吹出板の合わせ目付近を支持する根太は、水平片と該水平片の略中央で起立した垂直片とから構成されて断面逆Ｔ字状をなす、
ことを特徴とする請求項１記載の植物育成装置。
【発明の詳細な説明】
【０００１】
【発明の属する技術分野】
本発明は、植物の育種又は栽培など、農学の研究、実験に使用する植物育成装置に関し、特に、いわゆる床吹出方式の植物育成装置に関するものである。
【０００２】
【従来の技術】
植物育成装置は、植物の環境因子である温度、湿度などを人為的に制御した環境下で植物を育成するために使用する装置であり、植物を収容する育成室内の温度及び湿度の制御は、育成室の外部に配置された冷却コイル、電気ヒータ、加湿器等の空気調整装置（空気調和装置）を用いて、所望の温度や湿度に制御した空気を送風機によって循環させ、空気吹出部から育成室内に吹き出すことにより行われている。
【０００３】
また、植物育成装置は、育成室内における植物の育成を目的とするものであり、自然光（太陽光）又は照明器具等の人工光源によって育成室内を照らす構造になっている。したがって、育成室内には、自然光又は人工光源による膨大な熱量が蓄積されるため、該熱量を除去するべく冷却空気を循環させる必要がある。この冷却用の空気は、通常の恒温槽よりも数倍乃至数十倍の風量によって循環させる必要がある。
【０００４】
一方、植物を育成するための適正な風速は０．５ｍ／ｓｅｃ以下であると解されており、そのため、吹出面積を大きくとれる床吹出方式や側面吹出方式によって、吹出風速を小さく抑えている。
【０００５】
従来の床吹出方式の植物育成装置の一例について、図５を参照して説明する。図５は、この従来の植物育成装置を示す概略縦断面図である。
【０００６】
この従来の植物育成装置は、図５に示すように、上側位置に空気流出口１を有する育成室２と、空気吹出板３と、育成室２の下方に空気吹出板３を介在させて形成された空気吹出室４とを備えている。空気吹出板３は、育成室２の床板となっている。空気吹出室４は、その後側（通常は北側）の側部に空気流入口５を有する。また、この植物育成装置は、空気流出口１と空気流入口５との間を接続する空気通路６と、空気通路６に配置された送風機７、電気ヒータ８及び冷却コイル９と、空気吹出室４に配置された遠心噴霧式の加湿器１０と、を備えている。空気吹出室４の前側（通常は南側）の側壁には排気口１１が設けられ、送風機７と空気流出口５との間の位置において空気通路６を外部に連通させる通気口１２が設けられている。
【０００７】
育成室２の前側（通常は南側）の側壁、両横側（通常は東側及び西側）の側壁及び天井が、透明のガラス板を用いて構成されており、育成室２内に自然光が採光されるようになっている。育成室２の後側の側壁は空気通路６との間の仕切板で構成されている。
【０００８】
そして、この従来の植物育成装置では、前記空気吹出板３は、図６に示すように、１６枚の個別空気吹出板１３が並設されて構成されている。
【０００９】
図６は空気吹出板３を示す斜視図である。また、図７（ａ）は個別空気吹出板１３を示す平面図、図７（ｂ）は図７（ａ）中のＡ−Ａ矢視図である。さらに、図８（ａ）は図６中のＢ−Ｂ矢視図、図８（ｂ）は図６中のＣ−Ｃ矢視図である。
【００１０】
各個別空気吹出板１３は、図７に示すように、多数の空気吹出孔１４ａを有する正方形状の平板１４と、該平板１４の下面の一対の対向辺側にそれぞれ溶接された補強用の断面逆Ｌ字状部材１５，１６とから構成されている。後述する根太１７，１８，１９により平板１４が支持されるように、断面逆Ｌ字状部材１５，１６の長さは平板１４の前記対向辺の長さより短くされ、断面逆Ｌ字状部材１５，１６は平板１４の前記対向辺の長さ方向の中央に溶接されている。なお、平板１４として、所定ピッチで多数の孔を有する市販品の有孔板が用いられており、平板１４は断面逆Ｌ字状部材１５，１６を溶接した領域にも孔を有しているが、この領域の孔は断面逆Ｌ字状部材１５，１６により閉塞されて空気吹出孔１４ａとして機能しない。
【００１１】
図６及び図８に示すように、１６枚の個別空気吹出板１３は、南北方向に４行、東西方向に４列並設されている。各個別空気吹出板１３の断面逆Ｌ字状部材１５，１６の長さ方向が東西方向に一致し、断面逆Ｌ字状部材１５が南側に位置し、断面逆Ｌ字状部材１５が北側に位置するように、配置されている。図６に示すように、最も東側に位置する４枚の個別空気吹出板１３の平板１４の東側部分は、南北方向に延びる断面逆Ｌ字状の根太１７上に載置されている。図６及び図８（ａ）に示すように、最も西側に位置する４枚の個別空気吹出板１３の平板１４の西側部分は、南北方向に延びる断面逆Ｌ字状の根太１８上に載置されている。図６及び図８（ａ）に示すように、東西方向に隣接する個別空気吹出板１３の平板１４の合わせ目付近の部分は、東西方向に延びる角パイプからなる根太１９上に載置されている。
【００１２】
前記従来の植物育成装置によれば、送風機７によって、育成室２内の空気が空気流出口１から空気通路６内へ吸入される。同時に、通気口１２から外気が空気通路６内へ吸入される。吸入された空気は、送風機７から吹き出された後、電気ヒータ８及び冷却コイル９を通過して温度が調整された状態で、空気流入口５から空気吹出室４に供給される。空気吹出室４に供給された空気は、加湿器１０により湿度が調整された状態で、空気吹出板３の吹出孔３ａから育成室２に吹き出される。このとき、空気吹出室４の空気の一部が排気口１１から外部に排気される。なお、排気口１１及び通気口１２を設けて外気を導入するのは、育成室２内に収容した植物が光合成を行い育成室２内のＣＯ2ガスを吸引することによって育成室２内のＣＯ2ガス濃度が低下する、いわゆるＣＯ2飢餓を防止するためである。
【００１３】
【発明が解決しようとする課題】
ところで、植物にとって風速は重要な環境因子の一つであり、植物育成装置においては、育成室内の風速が各位置において均一であることが極めて重要である。
【００１４】
しかしながら、前記従来の植物育成装置では、空気吹出板３が前述したように構成されているため、空気吹出室２内の風速分布を均一にすることができず、その不均一の程度が大きい欠点がある。
【００１５】
すなわち、前記従来の植物育成装置では、個別空気吹出板１３の平板１４における根太１７，１８，１９上の領域の平板１４の孔は根太１７，１８，１９により塞がれ、平板１４における断面逆Ｌ字状部材１５，１６が溶接されている領域の平板１４の孔は断面逆Ｌ字状部材１５，１６により塞がれてしまい、これらの孔は空気吹出孔１４ａとして作用しない。つまり、前記従来の植物育成装置では、根太１７，１８，１９上の領域及び断面逆Ｌ字状部材１５，１６が溶接されている領域からは、育成室２内に空気を吹き出すことができず、これらの領域はいわば空気吹出禁止領域となってしまう。そして、空気吹出板３は、床板として兼用されることから、その強度を十分に確保する必要があり、根太１７，１８，１９の幅や断面逆Ｌ字状部材１５，１６の幅もある程度広くせざるを得ない。したがって、図６及び図８に示すように、特に、東西方向に隣接する個別空気吹出板１３の合わせ目付近の空気吹出禁止領域（根太１９上の領域）の幅Ｗ１、及び、南北方向に隣接する個別空気吹出板１３の合わせ目付近の空気吹出禁止領域（一方の個別空気吹出板１３の断面逆Ｌ字状部材１５が溶接されている領域と他方の個別空気吹出板１３の断面逆Ｌ字状部材１６が溶接されている領域との和）の幅Ｗ２が広くなってしまい、これらの幅Ｗ１，Ｗ２は空気吹出孔１４ａの所望のピッチよりかなり広くなってしまう。このため、図８に示すように、隣接する個別空気吹出板１３の合わせ目付近の幅Ｗ１，Ｗ２の空気吹出禁止領域で部分的に下降気流が生じてしまい、気流が乱れ、風速分布を均一にすることができず、その不均一の程度が大きい。
【００１６】
また、前記従来の植物育成装置では、個別空気吹出板１３は平板１４に対して断面逆Ｌ字状部材１５，１６を溶接する構造であるため、その製作に手数を要し、製作費が高い欠点がある。
【００１７】
本発明は、前記事情に鑑みてなされたもので、幅の広い空気吹出禁止領域がなく、育成室内に均一に風を吹き出すことができて風速分布を均一にすることができ、しかも安価な植物育成装置を提供することを目的とする。
【００１８】
【課題を解決するための手段】
前記課題を解決するため、本発明の第１の態様による植物育成装置は、上側位置に空気流出口を有する育成室と、空気吹出板と、前記育成室の下方に前記空気吹出板を介在させて形成された空気吹出室であって、側部に空気流入口を有する空気吹出室と、前記空気流出口と前記空気流入口との間を接続する空気通路と、該空気通路に配置された送風機と、前記空気吹出室から前記空気吹出板を介して前記育成室へ調整された空気が吹き出されるように空気を調整する空気調整手段と、を備えた植物育成装置において、前記空気吹出板は、多数の空気吹出孔を有する長方形状の平板の両長辺の側の部分を下方に折り曲げて２つの垂下片を形成し断面コ字状とした複数の個別空気吹出板が並設されて構成されたものである。
【００１９】
本発明の第２の態様による植物育成装置は、前記第１の態様による植物育成装置において、前記複数の個別空気吹出板が、前記垂下片が前記空気流入口から前記空気吹出室内へ流入される空気の方向に対して略々直交するように、配置されたものである。
【００２０】
本発明の第３の態様による植物育成装置は、前記第２の態様による植物育成装置において、前記複数の個別空気吹出板は、前記各個別空気吹出板の短辺に沿った方向に複数行並設されるとともに前記各個別空気吹出板の長辺に沿った方向に複数列並設され、前記各個別空気吹出板の前記２つの垂下片における前記各個別空気吹出板の短辺の側の部分が、前記各個別空気吹出板の短辺に沿った方向に延在する根太上に載置され、前記根太のうち、前記各個別空気吹出板の長辺に沿った方向に隣接する個別空気吹出板の合わせ目付近を支持する根太は、水平片と該水平片の略中央で起立した垂直片とから構成されて断面逆Ｔ字状をなすものである。
【００２１】
本発明によれば、空気吹出板は、多数の空気吹出孔を有する長方形状の平板の両長辺の側の部分を下方に折り曲げて２つの垂下片を形成し断面コ字状とした複数の個別空気吹出板が並設されて構成されている。
【００２２】
したがって、前記折り曲げによる２つの垂下片が個別空気吹出板の補強として作用し、前記個別空気吹出板は従来のように平板に補強用の断面逆Ｌ字状部材を溶接するものではないので、補強部材により前記平板の孔が塞がれて幅の広い空気吹出禁止領域が形成されるというようなことがない。また、前記２つの垂下片の部分を根太上に載置することができるので、根太により前記平板の孔が塞がれて幅の広い空気吹出禁止領域が形成されるというようなことがない。
【００２３】
このため、本発明によれば、隣接する個別空気吹出板の合わせ目付近においても、空気吹出孔を所望のピッチで設けることができ、したがって、育成室内で部分的に下降気流が生ずるようなことがなく、育成室内に均一に風を吹き出すことができて風速分布を均一にすることができる。
【００２４】
また、本発明では、前記平板の両長辺の側の部分を下方に折り曲げることにより個別空気吹出板を製作することができるので、前記従来の植物育成装置の個別空気吹出板のように平板に対して断面逆Ｌ字状部材を溶接して製作する場合に比べて、製作に手数を要さず、製作費を低減することができる。
【００２５】
ところで、本発明では、複数の個別空気吹出板を、前記垂下片が空気流入口から空気吹出室内へ流入される空気の方向と例えば平行となるように、配置してもよいものである。しかしながら、本件発明者は、その場合に比べて、前記第２の態様のように、複数の個別空気吹出板を、前記垂下片が空気流入口から空気吹出室内へ流入される空気の方向と略々直交するように、配置することによって、風速分布を一層均一にすることができることを見出した。これは、空気流入口から空気吹出室内への気流の方向性の影響により空気流入口に近い側の空気吹出孔から吹き出された風速と空気流入口から遠い側の空気吹出孔から吹き出された風速との間に生ずる不均一が、当該方向への気流が前記垂下片に衝突して弱められ前記気流の方向性の影響が少なくなることにより、低減されることによるものと考えられる。
【００２６】
また、前記第３の態様のように、各個別空気吹出板の長辺に沿った方向に隣接する個別空気吹出板の合わせ目付近を支持する根太として、水平片と該水平片の略中央で起立した垂直片とから構成されて断面逆Ｔ字状をなすものを採用すれば、各個別空気吹出板の長辺に沿った方向に隣接する個別空気吹出板の一方を取り外した場合（保守、点検等のため、個別空気吹出板を取り外す場合がある）であっても、他方の個別空気吹出板の、長辺に沿った方向への移動が当該断面逆Ｔ字状の根太の垂直片により阻止されるので、当該個別空気吹出板上に乗っている人の安全性が高くなる。
【００２７】
【発明の実施の形態】
以下、本発明の一実施の形態による植物育成装置について、図１を参照して説明する。図１は、本実施の形態による植物育成装置を示す概略縦断面図である。
【００２８】
本実施の形態による植物育成装置は、図１に示すように、上側位置に空気流出口２１を有する育成室２２と、空気吹出板２３と、育成室２２の下方に空気吹出板２３を介在させて形成された空気吹出室２４とを備えている。空気流出口２１には、必要に応じてフィルタ（図示せず）が設けられる。空気吹出板２３は、育成室２２の床板として兼用されている。空気吹出室２４は、その後側（通常は北側）の側部に空気流入口２５を有する。また、この植物育成装置は、空気流出口２１と空気流入口２５との間を接続する空気通路２６と、空気通路２６に配置された送風機２７、電気ヒータ２８及び冷却コイル２９と、空気吹出室２４に配置された遠心噴霧式の加湿器３０と、を備えている。
【００２９】
また、本実施の形態では、空気吹出室２４の前側（通常は南側）の側壁には排気口３１が設けられ、送風機２７と空気流出口２５との間の位置において空気通路２６を外部に連通させる通気口３２が設けられている。もっとも、排気口３１を設けずに、例えば、育成室２２の南側の側壁に外部に連通する隙間を形成してもよい。
【００３０】
育成室２２の前側（通常は南側）の側壁、両横側（通常は東側及び西側）の側壁及び天井が、透明のガラス板を用いて構成されており、育成室２２内に自然光が採光されるようになっている。育成室２２の後側の側壁は空気通路２６との間の仕切板で構成されている。なお、図面には示していないが、育成室２２の前側の側壁には開閉自在の扉又は戸が設けられている。
【００３１】
本実施の形態では、電気ヒータ２８、冷却コイル２９及び加湿器３０が、空気吹出室２４から空気吹出板２３を介して育成室２２へ調整された空気が吹き出されるように空気を調整する空気調整手段を構成している。もっとも、本発明では、空気調整手段の構成は、このような構成に限定されるものではない。また、加湿器３０は、空気通路２６における冷却コイル２９の下側に配置してもよいし、蒸気加湿器や超音波加湿器など任意の加湿器を採用することができる。
【００３２】
そして、本実施の形態による植物育成装置では、前記空気吹出板２３は、図２に示すように、１６枚の個別空気吹出板３３が並設されて構成されている。その枚数等は何ら限定されるものではない。
【００３３】
図２は空気吹出板２３を示す斜視図である。また、図３（ａ）は個別空気吹出板３３を示す平面図、図３（ｂ）は図３（ａ）中のＤ−Ｄ矢視図である。さらに、図４（ａ）は図２中のＥ−Ｅ矢視図、図４（ｂ）は図２中のＦ−Ｆ矢視図である。
【００３４】
各個別空気吹出板３３は、図３に示すように、多数の空気吹出孔３４ａを有する長方形状の平板３４の両長辺の側の部分を下方に折り曲げて２つの垂下片３４ｂ，３４ｃを形成し、断面コ字状とした構成とされている。
【００３５】
空気吹出孔３４ａの孔径が大きいと、気流の到達距離が長くなり過ぎ、育成室２２内において速度の早い気流が植物位置に達するので好ましくない。一方、空気吹出孔３４ａの孔径が小さいと水滴がその表面張力により空気吹出孔３４ａを塞いでしまい、却って風速分布の均一化を損なうことになる。そこで、空気吹出孔３４ａの孔径は約１０ｍｍとすることが好ましい。
【００３６】
また、空気吹出孔３４ａのピッチＰは、ほぼ同一とされており、図４に示すように隣接する個別空気吹出板３４の合わせ目付近においてもほぼ同一ピッチＰとされている。空気吹出孔３４ａのピッチＰは、空気吹出孔３４ａを通過する風速を決定するため、面平均風速と開口率とから計算される。吹き出し風速が遅いと、抵抗損失が少ないため、風速分布を均一化する効果が少なく、空気吹出室２４内の気流のむらの影響を受け易くなる。一方、吹き出し風速が速いと、風速分布を均一化する効果は大きいが、抵抗損失が大きくなり、エネルギー損失が増大する。また、気流の到達距離が伸びるので、速度の速い気流が植物域に達するおそれがある。よって、適当な気流の到達距離（床上３０ｃｍの高さで風速０．５ｍ／ｓｅｃ以内）で、かつ少ない圧力損失で、床面全体の風速分布を均一化するべく、空気吹出孔３４ａの通過風速が約４ｍ／ｓｅｃ前後となるように個別空気吹出板３３の開口率を定めることが、好ましい。
【００３７】
図２に示すように、１６枚の個別空気吹出板３３は、南北方向に２行、東西方向に８列並設されている。また、１６枚の個別空気吹出板３３は、垂下片３４ｂ，３４ｃが空気流入口２５から空気吹出室２４内へ流入される空気の方向（本実施の形態では、南北方向）に対して略々直交するように、配置されている。すなわち、本実施の形態では、各個別空気吹出板３３の短辺に沿った方向が南北方向、各個別空気吹出板３３の長辺に沿った方向が東西方向に一致するように、１６枚の個別空気吹出板３３が配置されている。
【００３８】
そして、本実施の形態では、図２及び図４（ｂ）に示すように、各個別空気吹出板３３の２つの垂下片３４ｂ，３４ｃにおける各個別空気吹出板３３の短辺の側の部分が、南北方向（各個別空気吹出板３３の短辺に沿った方向）に延在する根太３５，３６，３７上に載置されている。
【００３９】
本実施の形態では、東西方向（各個別空気吹出板３３の長辺に沿った方向）に隣接する個別空気吹出板３３の合わせ目付近を支持する根太３５は、図４（ｂ）に示すように、水平片３５ａと該水平片３５ａの略中央で起立した垂直片３５ｂとから構成されて断面逆Ｔ字状をなしている。東西方向に隣接する個別空気吹出板３３のうちの東側の個別空気吹出板３３の垂直片３４ｂ，３４ｃの西側部分が、根太３５の水平片３５ａにおける垂直片３５ｂに対する東側部分の上に載置されている。同様に、東西方向に隣接する個別空気吹出板３３のうちの西側の個別空気吹出板３３の垂直片３４ｂ，３４ｃの東側部分が、根太３５の水平片３５ａにおける垂直片３５ｂに対する西側部分の上に載置されている。根太３５として、このように断面逆Ｔ字状のものを用いることが後述するように安全上好ましいが、必ずしもこれに限定されるものではなく、角パイプ等を用いてもよい。なお、必要に応じて、根太３５を中間の位置において下方から支持する支柱（図示せず）を設けてもよい。
【００４０】
また、本実施の形態では、図２に示すように、根太３６は、断面Ｌ字状に構成され、東側に位置する８枚の個別空気吹出板３３の垂直片３４ｂ，３４ｃの東側部分を支持している。図２及び図４（ｂ）に示すように、根太３７は、断面Ｌ字状に構成され、西側に位置する８枚の個別空気吹出板３３の垂直片３４ｂ，３４ｃの西側部分を支持している。なお、根太３６，３７として、断面逆Ｌ字状のものや角パイプ等を採用してもよい。
【００４１】
本実施の形態による植物育成装置によれば、送風機２７によって、育成室２２内の空気が空気流出口２１から空気通路２６内へ吸入される。同時に、通気口３２から外気が空気通路２６内へ吸入される。吸入された空気は、送風機２７から吹き出された後、電気ヒータ２８及び冷却コイル２９を通過して温度が調整された状態で、空気流入口２５から空気吹出室２４に供給される。空気吹出室２４に供給された空気は、加湿器３０により湿度が調整された状態で、空気吹出板２３の吹出孔３４ａから育成室２２に吹き出される。このとき、空気吹出室２４の空気の一部が排気口３１から外部に排気される。
【００４２】
そして、本実施の形態では、前述したように、空気吹出板２３は、多数の空気吹出孔３４ａを有する長方形状の平板３４の両長辺の側の部分を下方に折り曲げて２つの垂下片３４ｂ，３４ｃを形成し断面コ字状とした複数の個別空気吹出板３３が並設されて構成されている。
【００４３】
したがって、前記折り曲げによる２つの垂下片３４ｂ，３４ｃが個別空気吹出板３３の補強として作用し、個別空気吹出板３３は従来のように平板に補強用の断面逆Ｌ字状部材を溶接するものではないので、補強部材により平板３４の孔が塞がれて幅の広い空気吹出禁止領域が形成されるというようなことがない。また、２つの垂下片３４の部分が根太３５，３６，３７上に載置されているので、根太３５，３６，３７により平板３４の孔が塞がれて幅の広い空気吹出禁止領域が形成されるというようなことがない。
【００４４】
このため、本実施の形態によれば、図４に示すように、隣接する個別空気吹出板３３の合わせ目付近においても、空気吹出孔３４ａを所望のピッチＰで設けることができ、したがって、育成室２２内で部分的に下降気流が生ずるようなことがなく、育成室内に均一に風を吹き出すことができて風速分布を均一にすることができる。なお、図４中には、空気吹出孔３４ａからの吹き出し気流の風速分布状況も、個別空気吹出板３３からの高さに応じて示している。
【００４５】
また、本実施の形態では、平板３４の両長辺の側の部分を下方に折り曲げることにより個別空気吹出板３３を製作することができるので、前記従来の植物育成装置の個別空気吹出板のように平板に対して断面逆Ｌ字状部材を溶接して製作する場合に比べて、製作に手数を要さず、製作費を低減することができる。
【００４６】
ところで、本発明では、複数の個別空気吹出板３３を、垂下片３４ｂ，３４ｃが空気流入口２５から空気吹出室２４内へ流入される空気の方向（本実施の形態では南北方向）と例えば平行となるように、配置してもよいものである。しかしながら、その場合に比べて、本実施の形態では、複数の個別空気吹出板３３は、垂下片３４ｂ，３４ｃが南北方向に対して直交するように配置されているので、風速分布を一層均一にすることができる。これは、空気流入口２５から空気吹出室２６内への気流の方向性の影響により空気流入口２５に近い側（北側）の空気吹出孔３４ａから吹き出された風速と空気流入口２５から遠い側（南側）の空気吹出孔３４ａから吹き出された風速との間に生ずる不均一が、南北方向への気流が垂下片３４ｂ，３４ｃに衝突して弱められ前記気流の方向性の影響が少なくなることにより、低減されることによるものと考えられる。
【００４７】
また、本実施の形態では、東西方向に隣接する個別空気吹出板３３の合わせ目付近を支持する根太３５として断面逆Ｔ字状のものが採用されているので、保守や点検等のため、東西方向に隣接する個別空気吹出板３３の一方を取り外した場合であっても、他方の個別空気吹出板３３の東西方向への移動が根太３５の垂直片３５ｃにより阻止されるので、当該個別空気吹出板３３上に乗っている人の安全性が高くなる。
【００４８】
以上、本発明の各実施の形態について説明したが、本発明はこれらの実施の形態に限定されるものではない。
【００４９】
例えば、前述した実施の形態は自然光を利用する植物育成装置の例であったが、本発明は、人工光源を利用する植物育成装置にも適用することもできる。
【００５０】
【発明の効果】
本発明によれば、幅の広い空気吹出禁止領域がなく、育成室内に均一に風を吹き出すことができて風速分布を均一にすることができ、しかも安価となる。
【図面の簡単な説明】
【図１】本発明の一実施の形態による植物育成装置を示す概略縦断面図である。
【図２】本発明の前記実施の形態における空気吹出板を示す斜視図である。
【図３】本発明の前記実施の形態における個別空気吹出板を示す図であり、図３（ａ）はその平面図、図３（ｂ）は図３（ａ）中のＤ−Ｄ矢視図である。
【図４】本発明の前記実施の形態による植物育成装置の所定の箇所の断面図であり、図４（ａ）は図２中のＥ−Ｅ矢視図、図４（ｂ）は図２中のＦ−Ｆ矢視図である。
【図５】従来の植物育成装置を示す概略縦断面図である。
【図６】前記従来の植物育成装置における空気吹出板を示す斜視図である。
【図７】前記従来の植物育成装置における個別空気吹出板を示す図であり、図７（ａ）はその平面図、図７（ｂ）は図７（ａ）中のＡ−Ａ矢視図である。
【図８】前記従来の植物育成装置の所定の箇所の断面図であり、図８（ａ）は図６中のＢ−Ｂ矢視図、図８（ｂ）は図６中のＣ−Ｃ矢視図である。
【符号の説明】
２１  空気流出口
２２  育成室
２３  空気吹出板
２４  空気吹出室
２５  空気流入口
２６  空気通路
２７  送風機
２８  電気ヒータ
２９  冷却コイル
３０  加湿器
３３  個別空気吹出板
３４  平板
３４ａ  空気吹出孔
３４ｂ，３４ｃ  垂下片
３５，３６，３７  根太
【図１】
0003678809.tif 000002
【図２】
0003678809.tif 000003
【図３】
0003678809.tif 000004
【図４】
0003678809.tif 000005
【図５】
0003678809.tif 000006
【図６】
0003678809.tif 000007
【図７】
0003678809.tif 000008
【図８】
0003678809.tif 000009